(57)【要約】【課題】２機の大規模な架台を移動可能に設置せねばならない。【解決手段】建築物Ｂに併設された１機の架台１上にアンコイラ２及び折板成形機３を据え付け、該折板成形機３の延長線上の前記建築物上に仮設した作業足場４上に複数個の受承台５、5a…を直列配置し、前記作業足場４の上方に、受承台５、5a…の配列方向に対し直交する複数本の搬送用ケーブル６、6a…を並列配置し、該搬送用ケーブル６、6a…に対し移動可能に吊下げられた巻上機７、7a…における吊下げ索条８、8a…の下端に折板屋根材Ｗ、Ｗａ…の吊下げ手段９、9a…を取着する。折板成形機３から送り出され受承台５、5a…上に移載された折板屋根材Ｗ、Ｗａ…に、複数の作業員により巻上機７、7a…における吊下げ手段９、9a…をセットし吊り下げ押し進めて搬送することが可能なため、固定式の架台１を１機だけ組み上げれば、屋根全体に折板屋根材Ｗ、Ｗａ…を葺設することが可能になる。【選択図】図４
2014156718.tif 000002
【特許請求の範囲】
【請求項１】
折板屋根材の成形から葺設箇所までの搬送を一貫して実行可能なシステムであって、
建築物における葺設状態の折板屋根材の長さ方向側の側部に併設された架台と、該架台上に据え付けられたアンコイラ及び折板成形機と、該折板成形機の延長線上の前記建築物上に仮設された作業足場と、該作業足場上の長手方向に直列配置された複数個の受承台と、前記作業足場の上方に、受承台の配列方向に対し直角方向に並設された複数本の搬送用ケーブルと、該搬送用ケーブルに対し移動可能に吊下げられた巻上機と、該巻上機における吊下げ索条の下端に取着した折板屋根材の吊下げ手段とを有していることを特徴とする折板屋根材の成形・搬送システム。
【請求項２】
前記搬送用ケーブルは、折板屋根材の葺設領域の両側方に沿って建築物上に立設された複数対の柱体間に張設されていることを特徴とする請求項１記載の折板屋根材の成形・搬送システム。
【発明の詳細な説明】
【技術分野】
【０００１】
本発明は、工場や物流センターの様な大型建築物の屋根に葺設する、特に極めて長い折板屋根材を現場で成形し葺設位置まで搬送するシステムに関する。
【背景技術】
【０００２】
従来、折板屋根材の長さ方向に対し直交方向に対をなす複数対の支柱を立設し、該支柱間に索条を張架し、該索条に滑車を介して巻上機を懸け、成型された折板屋根材を上記巻上機によって吊り上げて葺設箇所まで移動させ、次いで、上記巻上機を作動させ折板屋根材を梁の上に降下させたのち、該梁に前記折板屋根材を固定するようにして、長い折板屋根材を少ない人手で容易に葺設可能にした施工法が公知技術として存在している（例えば、特許文献１参照）が、この施工法は、あくまでも屋根上に上げた折板屋根材の搬送方法であって、現場で成形された折板屋根材をどの様な方法で屋根上に上げているのかが全く不明であり、特に１００ｍ程度の折板屋根材では屋根上に上げることは略不可能で、仮に複数台のクレーン等で上げることが可能であったとしても、屋根上方に高圧架線がある様な場合では不可能であった。
【０００３】
そこで、建物に沿ったレール上を自走する架台上に設置した折板成形機で、ホットコイルから送り込まれる薄鉄板を成形加工して屋根の敷設箇所に送り出し葺設施工する装置において、建物の対向する両壁面に沿って自走する架台を設置し、夫々の架台面上に立てた支柱間に下向きコ型のガイドレールを橋架固定し、該ガイドレールには２個の転輪で転架する移動自在な巻上機を複数個懸吊し、各巻上機の吊りロープの下端に磁石を垂下して、架台の折板成形機から加工して送り出される折板屋根材を巻上機の磁石で順次吊り支え、送り出される力だけで自動的に葺設箇所へ搬送されるようにした折板屋根材の自動搬送装置（例えば、特許文献２参照）の様に、屋根面と同じ高さに折板成形機を据え付けて、成形時の送出方向に折板屋根材の葺設箇所を設定する様に２機の架台を同時に動かすことで、葺設箇所上に折板屋根材を搬送可能にした折板屋根材の搬送システムが存在し、このシステムであれば、既に葺いた折板屋根材自体が足場となるので、施工に際して、特に、足場を設ける必要がなく、折板屋根材１枚の長さが１００ｍ必要であったとしても、或いは屋根上方に高圧架線があっても対応可能である。
【先行技術文献】
【特許文献】
【０００４】
【特許文献１】特開平６−４２１２９号公報
【特許文献２】第２７９５２２８号公報
【発明の概要】
【発明が解決しようとする課題】
【０００５】
しかし、上記特許文献２に記載の従来技術にあっては、下記（１）〜（３）の通り、解決せねばならない課題があった。
（１）２機の大規模な架台が必要となる。
（２）折板屋根材を１枚葺設する度に２機の架台を動かさねばならない
（３）建物の敷地における架台を組む側に、架台が通過可能なスペースが建物の全長にわたり同レベルでなければ対応出来ない。
【課題を解決するための手段】
【０００６】
本発明は、上記従来技術に基づく、上記（１）〜（３）の課題に鑑み、折板屋根材の成形から葺設箇所までの搬送を一貫して実行可能なシステムであって、建築物における葺設状態の折板屋根材の長さ方向側の側部に併設された架台と、該架台上に据え付けられたアンコイラ及び折板成形機と、該折板成形機の延長線上の前記建築物上に仮設された作業足場と、該作業足場上の長手方向に直列配置された複数個の受承台と、前記作業足場の上方に、受承台の配列方向に対し直角方向に並設された複数本の搬送用ケーブルと、該搬送用ケーブルに対し移動可能に吊下げられた巻上機と、該巻上機における吊下げ索条の下端に取着した折板屋根材の吊下げ手段とを有し、折板成形機から送り出されて作業足場上の受承台上に移載された折板屋根材に、複数の作業員により巻上機における吊下げ手段をセットして折板屋根材を吊り下げ、複数の作業員により押し進めて搬送することによって、架台をアンコイラ及び折板成形機を据え付ける固定式の一機だけで対応可能にすると共に、建物の敷地における架台を組む側に該架台を組み上げ可能なスペースが少なくとも一箇所でもあれば、架台を動かさずに屋根全体に折板屋根材を葺設可能にして、上記（１）〜（３）の課題を解決する。
【発明の効果】
【０００７】
要するに本発明は、折板屋根材の成形から葺設箇所までの搬送を一貫して実行可能なシステムであって、建築物における葺設状態の折板屋根材の長さ方向側の側部に併設された架台と、該架台上に据え付けられたアンコイラ及び折板成形機と、該折板成形機の延長線上の前記建築物上に仮設された作業足場と、該作業足場上の長手方向に直列配置された複数個の受承台とを有しているので、折板屋根材が長くても、或いは屋根上方に邪魔な施設があっても対処可能で、而も現場加工した折板屋根材を仮設足場上の受承台上に自動的に移載することが出来るため、１機の架台で実施することが出来る。
而も、前記作業足場の上方に、受承台の配列方向に対し直角方向に並設された複数本の搬送用ケーブルと、該搬送用ケーブルに対し移動可能に吊下げられた巻上機と、該巻上機における吊下げ索条の下端に取着した折板屋根材の吊下げ手段とを有しているので、該吊下げ手段により吊下げ索条の下端に折板屋根材を吊り下げて、巻上機により折板屋根材を上下動可能にし、吊り下げ状態の折板屋根材を搬送方向に押しながら進んで搬送することが出来るため、少なくとも搬送用ケーブルの本数と同数の作業員がいれば、架台を移動させずに折板屋根材を葺設位置まで搬送設置することが出来る。
【０００８】
前記搬送用ケーブルは、折板屋根材の葺設領域の両側方に沿って建築物上に立設された複数対の柱体間に張設されているので、搬送用ケーブルの張設作業を容易化することが出来る。
更に、前記受承台を高さ調節自在とすれば、架台の高さに若干の高低があっても、受承台の高さを調節すれば、折板成形機から送られてくる折板屋根材を支障なく受承することが出来る等その実用的効果甚だ大である。
【図面の簡単な説明】
【０００９】
【図１】本発明に係る折板屋根材の成形・搬送システムの側面図である。
【図２】図１の平面図である。
【図３】図２の要部拡大図である。
【図４】図１の折板屋根材の成形・搬送システムの拡大正面図である。
【図５】図１の折板屋根材の成形・搬送システムを説明する概略斜視図である。
【発明を実施するための形態】
【００１０】
本発明に係る折板屋根材の成形・搬送システムにあっては、折板屋根材Ｗ、Ｗａ…の成形から葺設箇所までの搬送を一貫して実行可能なシステムであって、基本的に、建築物Ｂに併設された、該建築物Ｂと略同じ高さの架台１と、該架台１上に据え付けられたアンコイラ２及び折板成形機３と、該折板成形機３の延長線上の建築物Ｂ上にして、折板屋根材Ｗ、Ｗａ…を葺設する領域Ｓの一側方に沿って仮設された作業足場４と、該作業足場４上の長手方向に直列配置した複数個の受承台５、5a…と、作業足場４の上方に、受承台５、5a…の配列方向に対し直角方向に並設された複数本の搬送用ケーブル６、6a…と、該搬送用ケーブル６、6a…に対し移動可能に吊下げられた巻上機７、7a…と、該巻上機７、7a…におけるロード索条８、8a…の下端に取着した折板屋根材Ｗ、Ｗａ…の吊下げ手段９、9a…とを有している。
以下、具体的に説明する。
【００１１】
前記架台１は、仮設足場を適宜組み上げると共に、頂部に足場板を敷き詰め、この足場板上に所謂「コンパネ」と称される合板を敷きつめて構築され、この合板上に上記アンコイラ２及び折板成形機３が据え付けられていおり、アンコイラ２にセットされたホットコイルＣから引き出された鋼板を折板成形機３により折板屋根材Ｗ、Ｗａ…が成形される。
【００１２】
前記作業足場４は、梁Ａ上又は既に敷設された折板屋根材Ｗ、Ｗａ…上に、所謂「コンパネ」と称される合板12、12a …を直列に敷設して構築されている。
【００１３】
前記各受承台５、5a…は、上部に回動自在な水平ローラ13を有しており、該水平ローラ13の外周面の最頂部、即ち折板屋根材Ｗ、Ｗａ…の受承面を、送り出されてくる折板屋根材Ｗ、Ｗａ…の下面と略同レベルに設定可能にすべく、高さ調節自在にするのが好ましい。
【００１４】
前記搬送用ケーブル６、6a…は、葺設領域Ｓの一側方に沿って建築物Ｂ上に立設された柱体10、10a …と、葺設領域Ｓの他側方に沿って建築物Ｂ上に立設された柱体11、11a …との間に張設されており、複数対の柱体（10、11）、（10a 、11a ）…は、建築物Ｂの屋根梁Ａに固定された略Ｌ型の鋼材で、屋根梁Ａへの固定部材14、15と、該固定部材14、15の端部に垂直部材16、17とを有し、該垂直部材16、17の上部に滑車18、19を、中間部に搬送用ケーブル６、6a…の両端部の掛止フック20、21を夫々設けて、複数対の柱体（10、11）、（10a 、11a ）…間に搬送用ケーブル６、6a…が所定テンションが掛けられた状態で架設されている。
【００１５】
巻上機７、7a…は、搬送用ケーブル６、6a…に移動可能に取り付けたトロリ22、22a …に吊り下げられており、例えば図４、５に示す様な、接続されたインパクトドライバにより正逆回転させて、巻上げ・巻下ろし可能にしたタイプのチェーンブロックが好ましいが、同様にロード索条８、8a…をチェーンとした手動式又は電動式チェーンブロックであったり、ロード索条８、8a…をワイヤとした電動式ウィンチであっても良い。
【００１６】
吊下げ手段９、9a…は、可撓性を有する帯状体又は紐状体で、両端をロード索条８、8a…の下端のフック23、23a …に掛止し、該フック23、23a …から外して、受承台５、5a…上に移載された折板屋根材Ｗ、Ｗａ…の下を通した吊下げ手段９、9a…の一端をフック23、23a …に掛止することで折板屋根材Ｗ、Ｗａ…を吊り下げ可能にしている。
【００１７】
次に、本発明に係る折板屋根材の成形・搬送システムの作用について説明する。
先ず、全ての受承台５、5a…を、受承面が組み上げた架台１上に設置された折板成形機３から押し出される折板屋根材Ｗ、Ｗａ…の下面と略同レベルに成るように高さを調節し、折板成形機３により成形・送出される成形中の折板屋根材Ｗは、受承台５、5a…で順次下方支持しつつ、各受承台５、5a…における水平ローラ13によりスムーズに進行し、ホットコイルＣから所定長さ鋼板が引き出された時点で切断した後、折板成形機３から全体が送り出された完成した折板屋根材Ｗを作業員により所定位置まで押し出す。
【００１８】
次に、所定位置の折板屋根材Ｗの下に、フック23、23a …から外された吊下げ手段９、9a…の一端を通してフック23、23a …に掛止した後、巻上機７、7a…にインパクトドライバを接続し正転させることでロード索条８、8a…を巻き取って、折板屋根材Ｗを吊り下げ状態にする。
【００１９】
次に、複数の作業員により吊り下げ状態の折板屋根材Ｗを搬送方向、即ち搬送用ケーブル６、6a…と平行方向に押しながら進んで葺設位置まで搬送した後、巻上機７、7a…にインパクトドライバを接続し逆転させることでロード索条８、8a…を引き出して、折板屋根材Ｗを葺設位置に下ろす。
【００２０】
最後に、折板屋根材Ｗから吊下げ手段９、9a…を外した後、複数の作業員により巻上機７、7a…を作業足場４まで戻して、以降の折板屋根材Ｗａ、Ｗｂ…も上記と同様に作業することで、葺設領域Ｓ全体に折板屋根材Ｗ、Ｗａ…を葺設する。
【符号の説明】
【００２１】
１          架台
２          アンコイラ
３          折板成形機
４          作業足場
５、5a…    受承台
６、6a…    搬送用ケーブル
７、7a…    巻上機
８、8a…    吊下げ索条
９、9a…    吊下げ手段
10、10a …  柱体
11、11a …  柱体
Ｂ          建築物
Ｓ          葺設領域
Ｗ、Ｗａ…  折板屋根材
【図１】
2014156718.tif 000003
【図２】
2014156718.tif 000004
【図３】
2014156718.tif 000005
【図４】
2014156718.tif 000006
【図５】
2014156718.tif 000007